(57)【特許請求の範囲】
【請求項１】
台座の底部に、キャスターの座板が挿入されるキャスター取付け部とストッパーが装着されるストッパー装着部が連ねて設けられ、台座の側部外方からキャスター取付け部に挿入されたキャスターをストッパー装着部に装着されたストッパーで台座底部に固定する構成を有する運搬用台車において、
キャスター取付け部は、
台座底部から下方へ突出して先端が向かい合わせに鉤型に折れた、キャスターの座板の端部が係合する一対のキャスターガイド部と、
台座底板から下方へ突出していて前記両キャスターガイド部間に並設された、キャスターの座板上面を支持する複数のリブと、
両キャスターガイド部の端部側に設けられた、キャスターの座板の一側の側端部を係止する係止突部とを備え、
ストッパー装着部は、
台座底部の前記キャスター取付け部に隣接した外側に設けられていて台座底部から下方へ突出して先端が向かい合わせに鉤型に折れた、ストッパーの装着位置を規制する一対のストッパーガイド部と、
両ストッパーガイド部の鉤型に折れた先端部に設けられた、ストッパーの係合部が係合する被係合部を備え、
ストッパーは、
その一側の側端部に設けられていて、前記キャスター取付け部に挿入されたキャスターの座板の他側の側端部を係止する係止部と、
その下部に下方へ突出させて設けられていて、前記両ストッパーガイド部間に挿入された当該ストッパーを下方へ変位させたときに前記ストッパー装着部の被係合部に係合する突部を備えて形成された構成を有することを特徴とする運搬用台車。
【請求項２】
ストッパーを手で掴むための把手部がストッパーの下部に設けられた構成を有することを特徴とする請求項１に記載の運搬用台車。
【請求項３】
台座の内部に断熱材が挿入された構成を有することを特徴とする請求項１又は２に記載の運搬用台車。
【請求項４】
運搬用台車のキャスターをストッパーで台座に固定する運搬用台車のキャスターの取付け構造において、
台座の底部に、
台座底部から下方へ突出して先端が向かい合わせに鉤型に折れた一対のキャスターガイド部と、台座底板から下方へ突出していて前記両キャスターガイド部間に並設された複数のリブと、両キャスターガイド部の端部側に設けられた係止突部とを備えたキャスター取付け部と、
台座底部の前記キャスター取付け部に隣接した外側に設けられていて台座底部から下方へ突出して先端が向かい合わせに鉤型に折れた一対のストッパーガイド部と、両ストッパーガイド部の鉤型に折れた先端部に設けられた被係合部を備えたストッパー装着部を連ねて設け、
台座の側部外方からキャスター取付け部にキャスターが挿入され、このキャスターの座板の上面が前記リブで支持されるとともに当該座版の端部が両キャスターガイド部に係合した状態で、下部に係合突部を備えたストッパーをストッパー装着部の両ストッパーガイド部間に挿入するとともに、ストッパーを下方へ変位させてその係合突部を両ストッパーガイド部に設けられた被係合部に係合させてストッパーをストッパー装着部に取付けることにより、
キャスターの座板の周囲端部をキャスター取付け部の両キャスターガイド部及び係止突部とストッパーの側端部に係止させてキャスターを台座に固定する構成を有することを特徴とする運搬用台車のキャスターの取付け構造。
【発明の詳細な説明】
【技術分野】
【０００１】
本発明は、台座の上に荷物を載せて運搬するキャスター付きの運搬用台車に係り、台座の底部にキャスター取付け部とストッパー装着部を設け、キャスター取付け部に挿入支持させたキャスターを、ストッパー装着部に装着されたストッパーで台座に固定する構造のものに関する。
【背景技術】
【０００２】
運搬用台車のキャスターを、キャスターとともに台座の底部にストッパーを装着して固定する構成のものとして、例えば図１２に示されるように、台座１０１のコーナー部に面した内部を開口させて、キャスター１０２の座板１０２ａが載る突片１０１ａ，１０１ａと、ストッパー１０３が装着される凹状空間部１０１ｂと、装着されたストッパー１０３に係合する板バネ部１０１ｃとを形成し、突片１０１ａ，１０１ａ上にキャスター１０２の座板１０２ａを載せて支持させた状態で、凹状空間部１０１ｂ内にストッパー１０３を挿入し、板バネ部１０１ｃを座板１０２ａの縁部とストッパー１０３とに係合させて、キャスター１０２を台座１０１の底部に固定する構造を備えた運搬用台車１００が知られている（例えば特許文献１参照）。
【０００３】
【特許文献１】特開２００９−１０４７号公報
【発明の開示】
【発明が解決しようとする課題】
【０００４】
図示した従来の運搬用台車１００は、キャスター１０２を留めネジやビスなどの鋼製の固定部材を用いずに固定することが可能であるものの、キャスター１０２の金属製の台座１０２ａと台座１０１の突片１０１ａ，１０１ａ及びストッパー１０３との接触面積が比較的大きく、構造上、キャスター１０２から台座１０１に伝熱し易い。
【０００５】
この運搬用台車１００は、キャスター１０２から台座１０１への伝熱性が問題とされない荷物や物品の運搬には適しているが、保温や保冷が必要な荷物や物品を運搬する場合、キャスター１０２から台座１０１に伝わる熱の影響を台座１０１に載せた荷物や物品が受けて、その品質を低下させてしまうという問題がある。
また、前記運搬用容器１００の構成では、台座１０１の直ぐ下にキャスター１０２及びストッパー１０３の挿入空間が設けられているので、台座１０１の内部に断熱材を挿入するなどして台座１０１の断熱性を向上させることはできないという問題もある。
【０００６】
本発明は従来技術の有するこのような問題点に鑑み、運搬用台車の台座にキャスターを固定するにあたり、キャスターから台座への熱伝導を出来る限り少なくし、且つ台座の底部にキャスターをガタつくことなく堅牢に固定することができるようにすることを課題とする。
【課題を解決するための手段】
【０００７】
前記課題を解決するため本発明は、台座の底部に、キャスターの座板が挿入されるキャスター取付け部とストッパーが装着されるストッパー装着部が連ねて設けられ、台座の側部外方からキャスター取付け部に挿入されたキャスターをストッパー装着部に装着されたストッパーで台座底部に固定する構成を有する運搬用台車において、
キャスター取付け部は、
台座底部から下方へ突出して先端が向かい合わせに鉤型に折れた、キャスターの座板の端部が係合する一対のキャスターガイド部と、
台座底板から下方へ突出していて前記両キャスターガイド部間に並設された、キャスターの座板上面を支持する複数のリブと、
両キャスターガイド部の端部側に設けられた、キャスターの座板の一側の側端部を係止する係止突部とを備え、
ストッパー装着部は、
台座底部の前記キャスター取付け部に隣接した外側に設けられていて台座底部から下方へ突出して先端が向かい合わせに鉤型に折れた、ストッパーの装着位置を規制する一対のストッパーガイド部と、
両ストッパーガイド部の鉤型に折れた先端部に設けられた、ストッパーの係合部が係合する被係合部を備え、
ストッパーは、
その一側の側端部に設けられていて、前記キャスター取付け部に挿入されたキャスターの座板の他側の側端部を係止する係止部と、
その下部に下方へ突出させて設けられていて、前記両ストッパーガイド部間に挿入された当該ストッパーを下方へ変位させたときに前記ストッパー装着部の被係合部に係合する突部を備えて形成された構成を有することを特徴とする。
【０００８】
前記構成の運搬用台車によるキャスターの取付け構造は、台座の側部外方からキャスター取付け部にキャスターを挿入して当該キャスターの座板の端部を両キャスターガイド部に係合させた状態で、下部に係合突部を備えたストッパーをストッパー装着部の両ストッパーガイド部間に挿入するとともに、ストッパーを下方へ変位させてその係合突部を両ストッパーガイド部に設けられた被係合部に係合させてストッパーをストッパー装着部に取付けることにより、キャスターの座板の周囲端部がキャスター取付け部の両キャスターガイド部及び係止突部とストッパーの側端部に係止して、キャスターを台座に固定することができる。
【０００９】
これによれば、キャスターは、その座板の周囲端部のうち、一の対向側端部がキャスターガイド部にそれぞれ係合して、他の対向側端部がキャスター取付け部の係止突部とストッパーの側端部にそれぞれ係止して台座の底部に取付けられ、座板の上面はキャスター取付け部に設けられた複数のリブが当接してキャスターが支持されて、キャスターの金属製の座板とストッパーを含む台座表面との接触面積が極めて小さいため、キャスターから台座への熱伝導を少なくすることができる。また、キャスターは、その座板の周囲端部が、これを囲うキャスターガイド部などに係止して固定されるので、運搬用台車を任意に滑走させても、ガタつきを起こすことなく台座の底部に堅牢且つ確実に取付けておくことができる。
ストッパーの取付けは、台座の側方からストッパー装着部のストッパーガイド部内にストッパーをスライド挿入した状態で、ストッパーを下方へ押す又は引っ張るなどして変位させて、その下部に設けた係合突部を、ストッパーガイド部に設けられた被係合部に係合させるという簡単な操作で行なうことが可能である。
【００１０】
前記構成の運搬用台車において、ストッパーの装着と取付け操作がし易いように、ストッパーを手で掴むための把手部がストッパーの下部に設けられていることが好ましい。
また、前記構成の運搬用台車は、保温や保冷が必要な荷物や物品を運搬に適するように、台座の内部に断熱材が挿入して構成することができる。
本発明は、手押し台車やカゴ台車、平台車など、台座の底部にキャスターが取付けられた各種の運搬用台車に適用が可能である。
【図面の簡単な説明】
【００１１】
【図１】本発明の一実施形態の運搬用台車の外観図である。
【図２】図１の運搬用台車の底部側の外観図である。
【図３】台車の底部に取付けられるキャスターの概略外観図である。
【図４】図１の運搬用台車の台座底部のキャスターが取付けられるコーナー部分を拡大して示した図である。
【図５】キャスターを固定するストッパーの下部側の外観図（Ａ）と後方側の外観図（Ｂ）である。
【図６】図４に示された台座底部に設けたキャスター取付け部のキャスターガイド部にキャスターの座板を挿入した状態の外観図である。
【図７】図６の状態からストッパーをストッパー装着部のストッパーガイド部に挿入した状態の外観図である。
【図８】図７の状態からストッパーを変位操作して固定した状態の外観図である。
【図９】（Ａ）は図７に示した状態におけるストッパーの係合状態を示す要部破断外観図、（Ｂ）は図８に示した状態におけるストッパーの係合状態を示す要部破断外観図である。
【図１０】（Ａ），（Ｂ）はストッパーの係合突部がストッパー装着部の被係合部に係合する過程を示した図である。
【図１１】ストッパーをストッパー装着部に固定した状態のストッパーの係合突部とストッパー装着部の被係合部の要部断面を示した図である。
【図１２】ストッパーでキャスターを固定する従来の運搬用台車における、Ａ）は台座とキャスターを分離した状態の要部断面図、（Ｂ）はキャスターを台座に固定した状態の要部断面図である。
【発明を実施するための形態】
【００１２】
本発明の好適な実施の形態を、図面を参照して説明する。
図１及び図２は本発明の一実施形態の運搬用台車の上部側と底部側の外観をそれぞれ示している。
【００１３】
図示されるように、この運搬用台車１は、平面視方形状の台座２の底部四隅に各々キャスター３，３，３，３が取付けられており、台座２上に荷物を載せた状態でキャスター３を滑動させて移動することができるように構成してある。そして、四つのキャスター３，３，３，３の内、台座２の対向短手二側辺の一方の短手側辺の左右近傍に取付けられたキャスター３，３は、そのハウジング３１の内部に制動機構（図示せず）を具備したものであり、台座２の当該短手側辺の縁部に取付けられたフットペダル４の変位操作をリンク機構５及びロッド６を介して制動機構に伝達することで制動機構を作動させ、キャスター３にブレーキを掛けたりブレーキを解除したりすることで、運搬用台車１の移動を制御することができるように構成してある。
また、本形態の運搬用台車１は、その台座２が、その上面側の合成樹脂製の上枠材２１と底面側の同じく合成樹脂製の下枠材２２を一体に重ね、且つ保温や保冷が必要な荷物や物品の運搬に適するように、両枠材の間に、合成樹脂製の断熱材２３を台座２の内部全体に挿入して形成してある（図９参照）。
【００１４】
台座２の底部に取付けられた各キャスター３は、図３に示されるように、支持金具であるハウジング３１でゴム車輪３２を保持した標準中荷重用キャスターであり、各々ハウジング３１の上端に設けられた座板３３を、台座２の底部に設けられたキャスター取付け部７に挿入支持させ、さらに、キャスター取付け部７に隣接して設けられたストッパー装着部８にストッパー９を装着することで、台座２に固定されるように構成してある。
【００１５】
詳しくは、図４に示されるように、キャスター取付け部７とストッパー装着部８は、台座２の底部の四隅コーナー部に、キャスター取付け部７を底部の内方側、ストッパー装着部８をキャスター取付け部７に隣接した底部の外方側に連ねて設けられ、台座２の側部外方からキャスター３とストッパー９をキャスター取付け部７とストッパー装着部８に順次挿入し装着して取付けることができるように形成してある。
【００１６】
同図に示されるように、キャスター取付け部７は、台座２の底部から下方へ突出して先端が向かい合わせに鉤型に水平に折れた一対のキャスターガイド部７１，７１と、台座２の底板から下方へ突出していて両キャスターガイド部７１，７１間に並設された複数のリブ７２と、両キャスターガイド部７１，７１の台座底部の内方側の端部に設けられた係止突部７３とを備えて形成してある。
キャスター取付け部７は、台座２の側部外方からキャスター３をその座板３３を両キャスターガイド部７１，７１内にスライド挿入すると、座板３３の上面がリブ７２の上端に載って支持されて、当該座板３３の前後端部が両キャスターガイド部７１，７１の鉤型に折れた端部上面に係合するとともに、座板３３の台座底部内方側の側端部が係止突部７３に係止して、キャスター３が両キャスターガイド部７１，７１と座板３３との係合位置に保持されるように設けてある。
【００１７】
また、ストッパー装着部８は、前述の通り、キャスター取付け部７の外側に連ねて一体に設けられており、台座２の底部から下方へ突出して先端が向かい合わせに鉤型に水平に折れた一対のストッパーガイド部８１，８１と、両ストッパーガイド部８１，８１の鉤型に折れた先端部に設けられた被係合部８２，８２を備えて形成してある。被係合部８２，８２は、両ストッパーガイド部８１，８１の先端部分に、後述するストッパー９の係合突部９４を構成するロックピン９４ａを挿入して係合する孔部８２ａと、同じく位置決め用突部９４ｂが挿入して係合する長孔部８２ｂを形成して設けてある。
ストッパー装着部８は、台座２の側部外方からストッパー９を両ストッパーガイド部８１，８１内にスライド挿入すると、両ガイド部でストッパー９の両端部の位置が規制されて、両被係合部８２，８２が面する空間内に嵌り込み、そのままストッパー９を下方へ変位させると、両被係合部８２の孔部８２ａと長孔部８２ｂにストッパー９のロックピン９４ａと位置決め用突部９４ｂが係合して、ストッパー９が台座２の底部に固定されるように設けてある。
【００１８】
ストッパー９は、合成樹脂製のブロック体であり、図５に示されるように、一側にストッパー９をストッパー装着部８に取付けたときにストッパー装着部８の台座２の側部に開口した開口面を閉鎖する枠部９１、他側にキャスター取付け部７に保持されたキャスター３の座板３３の外側端部に当接して座板３３を係止する係止部９２を有するとともに、枠部９１と係止部９２の間の下部中央に、ストッパー９を手で掴んで操作するための把持部９３を設け、把持部９３の両側にストッパー装着部８の被係合部８２に係合する下方へ突出した係合突部９４，９４を配置して形成してある。
係合突部９４は、ストッパー装着部８の被係合部８２の孔部８２ａに挿通して係合する、先端を先細りテーパ鈎状に形成されたロックピン９４ａと、被係合部８２の長孔部８２ｂに挿通して係合する、平面視コ字形に屈曲して突出した位置決め用突部９４ｂからなり、図５（Ａ）に示されるように、ロックピン９４ａは前記係止部９２の内面から突出したアーム部９４ｃの先端から下方へ突出させてあり、アーム部９４ｃが上下又は左右方向へ撓む範囲でロックピン９４ａが弾性変位することで、前記被係合部８２の孔部８２ａへの係合操作がスムーズに行えるように形成してある。また、アーム部９４ｃの下面にはロックピン９４ａに並設させて下方へ突出した突部９４ｄを設けてある。
【００１９】
このように構成された本形態の運搬用台車１では、以下の操作により、台座２にキャスター３を取付けることができる。
【００２０】
先ず、図６に示されるように、台座２をその底部を上向きにした状態で、キャスター３をキャスター取付け部７に取付ける。
キャスター３の取付けは、台座２の側部外方からキャスター３をその座板３３をキャスター取付け部７の両キャスターガイド部７１，７１内にスライド挿入させ、座板３３の上面をリブ７２の上端に載せて支持させることにより行なうことができる。両キャスターガイド部７１，７１間にキャスター３を挿入した状態で、座板３３の前後端部が両キャスターガイド部７１，７１の鉤型に折れた端部上面に係合し、座板３３の台座底部内方側の側端部が係止突部７３に係止して、キャスター３が両キャスターガイド部７１，７１と座板３３との係合位置に保持される。
【００２１】
次いで、図７に示されるように、ストッパー装着部８にストッパー９を挿入する。
ストッパー９の装着は、台座２の側部外方からストッパー９をストッパー装着部８の両ストッパーガイド部８１，８１内にスライド挿入させて、ストッパー９の枠部９１を除いた全体を、両ストッパーガイド部８１，８１間に嵌め入れることにより行なうことができる。ストッパー９をストッパー装着部８内に嵌め入れた状態で、図９（Ａ）に示されるように、枠部９１がストッパー装着部８の開口面の下側の台座２の側面に重なり、ストッパー装着部８の被係合部８２の孔部８２ａと長孔部８２ｂの下側に、ストッパー９の係合突部９４のロックピン９４ａと位置決め用突部９４ｂが位置する。
【００２２】
そして、ストッパー９の把持部９３を掴んでストッパー９を上方へ引き上げれば、図８及び図９（Ｂ）に示されるように、枠部９１がストッパー装着部８の開口面の縁部に乗り上げて当該開口面を閉鎖するとともに、ストッパー装着部８の被係合部８２の孔部８２ａにロックピン９４ａが、長孔部８２ｂに位置決め用突部９４ｂがそれぞれ挿通して係合し、ストッパー９が台座２に取付けられる。
【００２３】
ストッパー９を取付ける際、図１０（Ａ）に示されるように、ストッパー９のロックピン９４ａはストッパーガイド部８１に設けた孔部８２ａの下方に位置しており、ストッパー９をそのまま引き上げれば、ロックピン９４ａの先端部が孔部８２ａに入り込みつつロックピン９４ａ及びアーム部９４が適度に撓んで、同図（Ｂ）に示されるように、ロックピン９４ａの先端部が孔部８２ａ内面をスライドして孔部８２ａの上方へ貫通し、孔部８２ａの周縁にロックピン９４ａを係合させることができる。
また、図１１に示されるように、ロックピン９４ａが孔部８２ａに係合した状態で、ロックピン９４ａに隣接させて設けた突部９４ｄが、被係合部８２の下部から僅かな隙間を空けて配置されるので、ロックピン９４ａの下方への変位が孔部８２ａの縁部にロックピン９２ａの鈎状の先端が当たることで、また、上方への変位が被係合部８２の下部に突部９４ｄが当たることで規制され、台座２に取付けられたストッパー９が、台座２が上下方向に振動することで取りは外れることはない。また、被係合部８２の長孔８２ｂに位置決め用突部９４ｂが係合して、ストッパー９の前後左右方向への変位が規制されるので、台座２が前後左右方向に振動することによってもストッパー９が台座２から取りは外れることはない。
【００２４】
台座２にストッパー９を取付けた状態で、キャスター３は、その座板３３の周囲端部のうち、一の対向側端部がキャスター取付け部７のキャスターガイド部７１，７１にそれぞれ係合し、他の対向側端部がキャスター取付け部７の係止突部７３とストッパー９の係止部９２にそれぞれ係止して台座２の底部に固定される。
【００２５】
本形態の運搬用台車１によれば、キャスター３は、その座板３３の周囲端部が、これを囲うキャスターガイド部７１，７１などに係止して固定されるので、運搬用台車１を任意に滑走させても、ガタつきを起こすことなく台座２の底部に堅牢且つ確実に取付けておくことができ、また、キャスター３の座板３３とストッパー９を含む台座２の表面部分との接触面積が極めて小さいため、キャスター３から台座２への熱伝導を極めて少なくすることができ、台座２に載せて運搬する荷物や物品への伝熱の影響を最小限に抑えることが可能である。
【００２６】
なお、図示した形態は本発明の一例であり、本発明の運搬用台車はこれに限定されず、他の適宜な形態で構成することが可能である。
【符号の説明】
【００２７】
１  運搬搬用台車、２  台座、３  キャスター、３３  座板、４  フットペダル、５  リンク機構、６  ロッド、７  キャスター取付け部、８  ストッパー装着部、９  ストッパー
【図１】
0006384312.tif 000002
【図２】
0006384312.tif 000003
【図３】
0006384312.tif 000004
【図４】
0006384312.tif 000005
【図５】
0006384312.tif 000006
【図６】
0006384312.tif 000007
【図７】
0006384312.tif 000008
【図８】
0006384312.tif 000009
【図９】
0006384312.tif 000010
【図１０】
0006384312.tif 000011
【図１１】
0006384312.tif 000012
【図１２】
0006384312.tif 000013